(57)【要約】【課題】  ハードディスクの破棄又はリサイクルのためのデータ消去時間を短縮する。【解決手段】  エンコーダ（１４）は、ＭＰＥＧ方式でカメラ（１２）からの映像データを圧縮符号化する。圧縮映像データはバッファ（１６）及びディスクアクセス制御部（１８）を介してハードディスク（ＨＤＤ）（２０）に書き込まれる。イントラ検出部（３６）は、ＨＤＤ（２０）に記録される映像情報からイントラフレームの記録位置を検出する。ＣＰＵ（２８）は、ディスクアクセス制御部（１８）を介して、ＨＤＤ（２０）のイントラフレームの記録位置に一定の上書きデータを書き込ませる。【選択図】  図１
2009044563.tif 000002
【特許請求の範囲】
【請求項１】
画面内符号化と画面間予測符号化を併用する符号化方式で圧縮された映像情報が記録される記録媒体から記録映像情報を消去する映像消去装置であって、
前記記録映像情報の画面内符号化画像の記録位置を検出する検出手段と、
前記検出手段で検出された前記記録位置に上書きデータを書き込む書き込み手段
とを具備することを特徴とする映像消去装置。
【請求項２】
更に、
前記記録媒体の前記記録映像情報から消去対象の記録映像情報を指定する操作手段と、
前記操作手段で指定された消去対象の記録映像情報の画面内符号化画像の記録位置に、前記検出手段および前記書き込み手段により前記上書きデータを書き込ませる制御手段
とを具備することを特徴とする請求項１に記載の映像消去装置。
【請求項３】
前記記録映像情報が、圧縮符号化された映像データを格納するストリームファイルと、前記ストリームファイルに含まれる前記画面内符号化画像の圧縮映像データの位置を記憶するクリップ情報ファイルとからなり、
前記検出手段は、前記クリップ情報ファイルを参照して、前記記録映像情報の画面内符号化画像の記録位置を検出する
ことを特徴とする請求項１又は２に記載の映像消去装置。
【請求項４】
前記記録媒体のファイルシステムが、前記ストリームファイル及び前記クリップ情報ファイルを格納するデータ領域と、前記データ領域上でストリームファイル及び前記クリップ情報ファイルの記録位置を管理する管理情報を格納する管理領域とを具備し、
前記映像消去装置が更に、
前記管理情報で前記記録映像情報を消去しつつ、前記管理情報のコピーを生成する手段と、
現在の前記管理情報を前記管理情報のコピーと比較し、前記記録映像情報の画面内符号化画像の記録位置が他のデータで上書きされていない場合に、前記書き込み手段に、前記記録位置に上書きデータを書き込む書き込ませる制御手段
とを具備する
ことを特徴とする請求項１乃至３の何れか１項に記載の映像消去装置。
【請求項５】
画面内符号化と画面間予測符号化を併用する符号化方式で圧縮された映像情報が記録される記録媒体から記録映像情報を消去する方法であって、
前記記録映像情報の画面内符号化画像の記録位置を検出する検出ステップと、
前記検出ステップで検出された前記記録位置に上書きデータを書き込む書き込みステップ
とを具備することを特徴とする映像消去方法。
【請求項６】
画面内符号化と画面間予測符号化を併用する符号化方式で圧縮された映像情報が記録される記録媒体から記録映像情報を消去する方法であって、
前記記録媒体の前記記録映像情報から消去対象の記録映像情報を指定するステップと、
消去対象に指定された前記記録映像情報の画面内符号化画像の記録位置を検出する検出ステップと、
前記検出ステップで検出された前記記録位置に上書きデータを書き込む書き込みステップ
とを具備することを特徴とする映像消去方法。
【請求項７】
前記記録映像情報が、圧縮符号化された映像データを格納するストリームファイルと、前記ストリームファイルに含まれる前記画面内符号化画像の圧縮映像データの位置を記憶するクリップ情報ファイルとからなり、
前記検出ステップは、前記クリップ情報ファイルを参照して、前記記録映像情報の画面内符号化画像の記録位置を検出する
ことを特徴とする請求項５又は６に記載の映像消去方法。
【請求項８】
画面内符号化と画面間予測符号化を併用する符号化方式で圧縮された映像情報が記録される記録媒体から記録映像情報を消去する方法であって、
前記記録媒体のファイルシステムが、前記ストリームファイル及び前記クリップ情報ファイルを格納するデータ領域と、前記データ領域上でストリームファイル及び前記クリップ情報ファイルの記録位置を管理する管理情報を格納する管理領域とを具備し、
前記記録媒体の前記記録映像情報から消去対象の記録映像情報を指定するステップと、
前記管理情報で前記消去対象の記録映像情報を消去しつつ、前記管理情報のコピーを生成するステップと、
現在の前記管理情報を前記管理情報のコピーと比較し、前記消去対象の記録映像情報の画面内符号化画像の記録位置が他のデータで上書きされていない場合に、前記記録位置に上書きデータを書き込むステップ
とを具備する
ことを特徴とする映像消去方法。
【請求項９】
前記記録映像情報が、圧縮符号化された映像データを格納するストリームファイルと、前記ストリームファイルに含まれる前記画面内符号化画像の圧縮映像データの位置を記憶するクリップ情報ファイルとからなり、
前記クリップ情報ファイルを参照して、前記記録映像情報の画面内符号化画像の記録位置を検出される
ことを特徴とする請求項８に記載の映像消去方法。
【発明の詳細な説明】
【技術分野】
【０００１】
本発明は、映像消去装置に関し、より具体的には、画面内符号化と画面間予測符号化を併用する符号化方式で圧縮された映像情報が記録される記録媒体から記録映像情報を消去する映像消去装置に関する。
【背景技術】
【０００２】
近年、映像信号の圧縮技術の向上と、ハードディスク（ＨＤＤ）の大容量化により、ハードディスクを記録媒体とするビデオカメラが普及している。このようなビデオカメラをリサイクル又は破棄する場合、中古製品として他人の手に渡ることがありうる。ハードディスクに保存していたデータを他人に見られるのを防ぐため、ハードディスクのフォーマットを行ってから手放すのが通常である。
【０００３】
ところが、通常、ビデオカメラに装備されるハードディスクのフォーマット機能は、ハードディスクの管理領域を初期化するのみであり、映像データはデータ領域に記録されたままとなる。データ領域に残るデータは、簡単に読み出し可能である。
【０００４】
そこで、記録映像を回復不能な状態に消去するには、無意味な映像で上書きするしかない。しかし、例えば記憶容量３０ＧＢのハードディスクの全領域を上書き記録するには、ほぼ７時間もの時間を費やす必要があり、現実的ではない。ハードディスクの記憶容量は増大傾向にあり、この問題点は、今後、益々深刻化すると考えられる。
【０００５】
データをスクランブルして記録媒体に記録しておき、初期化時にスクランブル解除の鍵を変更することで、記録データの読み出しを実質的に不可能又は非常に困難にする技術が提案されている（例えば、特許文献１参照）。
【特許文献１】特開２００６−１９６１３５号公報
【発明の開示】
【発明が解決しようとする課題】
【０００６】
特許文献１に記載の技術では、通常の記録再生に必要な構成に加え、データにスクランブル処理を施すための構成を設ける必要がある。この様な特別な構成を設けることはコスト上昇につながり、ビデオカメラの様な民生用機器においては好ましくない。
【０００７】
本発明は上記問題点に鑑みてなされたものであり、簡単な構成で記録媒体の記録映像データを短時間で消去する映像消去装置及び方法を提示することを目的とする。
【課題を解決するための手段】
【０００８】
上記の課題を解決するために、本発明に係る映像消去装置は、画面内符号化と画面間予測符号化を併用する符号化方式で圧縮された映像情報が記録される記録媒体から記録映像情報を消去する映像消去装置であって、前記記録映像情報の画面内符号化画像の記録位置を検出する検出手段と、前記検出手段で検出された前記記録位置に上書きデータを書き込む書き込み手段とを具備することを特徴とする。
【０００９】
本発明に係る映像消去方法は、画面内符号化と画面間予測符号化を併用する符号化方式で圧縮された映像情報が記録される記録媒体から記録映像情報を消去する方法であって、前記記録映像情報の画面内符号化画像の記録位置を検出する検出ステップと、前記検出ステップで検出された前記記録位置に上書きデータを書き込む書き込みステップとを具備することを特徴とする。
【００１０】
本発明に係る映像消去方法は、画面内符号化と画面間予測符号化を併用する符号化方式で圧縮された映像情報が記録される記録媒体から記録映像情報を消去する方法であって、前記記録媒体の前記記録映像情報から消去対象の記録映像情報を指定するステップと、消去対象に指定された前記記録映像情報の画面内符号化画像の記録位置を検出する検出ステップと、前記検出ステップで検出された前記記録位置に上書きデータを書き込む書き込みステップとを具備することを特徴とする。
【００１１】
本発明に係る映像消去方法は、画面内符号化と画面間予測符号化を併用する符号化方式で圧縮された映像情報が記録される記録媒体から記録映像情報を消去する方法であって、前記記録媒体のファイルシステムが、前記ストリームファイル及び前記クリップ情報ファイルを格納するデータ領域と、前記データ領域上でストリームファイル及び前記クリップ情報ファイルの記録位置を管理する管理情報を格納する管理領域とを具備し、前記記録媒体の前記記録映像情報から消去対象の記録映像情報を指定するステップと、前記管理情報上で前記消去対象の記録映像情報を消去しつつ、前記管理情報のコピーを生成するステップと、現在の前記管理情報を前記管理情報のコピーと比較し、前記消去対象の記録映像情報の画面内符号化画像の記録位置が他のデータで上書きされていない場合に、前記記録位置に上書きデータを書き込むステップとを具備することを特徴とする。
【発明の効果】
【００１２】
本発明によれば、画面内符号化と画面間予測符号化を併用する符号化方式で圧縮された映像情報の画面内符号化画像を上書き消去することで、実質的に記録映像情報のどの部分も復号化不可能になる。これにより、破棄又はリサイクルのために記録媒体の全データ領域を上書きする必要が無くなる。
【発明を実施するための最良の形態】
【００１３】
以下、図面を参照して、本発明の実施例を詳細に説明する。
【実施例１】
【００１４】
図１は、本発明に係る映像消去装置の一実施例を組み込んだビデオカメラの概略構成ブロック図を示す。
【００１５】
本実施例のビデオカメラ１０の動画像記録動作を説明する。カメラ部１２は、光学像を電気画像信号に変換する撮像素子と、撮像素子から出力される画像信号を所定の映像信号形式（例えば、ＮＴＳＣや、ＨＤＴＶ等）の映像データに変換するカメラ信号処理回路を具備する。ユーザが操作部３４により映像記録の開始をＣＰＵ２８に指示すると、ＣＰＵ２８の制御プログラムは、カメラ部１２の出力映像データをエンコーダ１４に取り込ませる。エンコーダ１４は、カメラ部１２からの映像データをＭＰＥＧ（Moving Picture Experts Group）方式で圧縮符号化し、圧縮映像データを、記録フォーマットに従うフォーマットでバッファメモリ１６に格納する。ＣＰＵ２８は、ディスクアクセス制御部１８を制御して、バッファメモリ１６の圧縮映像データを逐次、読み出させ、ハードディスク（ＨＤＤ）２０に書き込ませる。
【００１６】
このようにして、ビデオカメラ１０は、被写体を示す動画像を圧縮符号化して、記録媒体であるＨＤＤ２０に記録する。
【００１７】
ＨＤＤ２０に記録された動画像の圧縮映像データのストリームは、再生時、ディスクアクセス制御部１８により読みだされ、バッファメモリ１６を介してデコーダ２２に供給される。デコーダ２２は、バッファメモリ１６からの圧縮映像データを復号化し、映像データを復元する。ＬＣＤコントローラ２４は、デコーダ２２からの再生映像データに従い液晶表示パネル（ＬＣＤ）２６を駆動する。これにより、再生映像がＬＣＤ２６の画面上に表示される。
【００１８】
イントラ検出部３６は、ＨＤＤ２０に記録されるストリームからイントラフレーム（画面内符号化画像）の所在を検出する。この機能の詳細は後述する。
【００１９】
ＣＰＵ２８はビデオカメラ１０の全体を制御する。ＲＯＭ３０はＣＰＵ２８の動作プログラム及び固定定数を記憶する。ＲＡＭ３２はＣＰＵ２８のプログラム領域及びワーク領域として使用される。ＣＰＵ２８はＣＰＵバス３８を介して以上の各部を制御する。ＣＰＵバス３８には操作部３４が接続する。操作部３４は、ユーザにより操作される各種の操作キーや摘みなどからなり、ユーザの指示をＣＰＵ２８に入力するのに使用される。ＣＰＵ２８は、ユーザからの指示に応じて各種処理を実行する。
【００２０】
ＭＰＥＧ方式は、時間方向および空間方向の冗長性を削減することによってデータ量を圧縮する。即ち、フレーム内で符号化が完結するフレーム内符号化（画面内符号化）と、フレーム間の差分を符号化するフレーム間符号化（画面間予測符号化）を併用する。フレーム内符号化のＩピクチャと、予測符号化のＰピクチャ及びＢピクチャがある。Ｐピクチャは、時間的に先行する１つのピクチャを予測符号化の参照フレームとする。Ｂピクチャは、時間的に先行するピクチャと後行するピクチャの２つのピクチャを予測符号化の参照フレームとする。
【００２１】
図２は、Ｉピクチャ、Ｐピクチャ及びＢピクチャの相互依存関係例を示す。ピクチャＩ０はフレーム内符号化されたフレームであり、ピクチャＩ０単独で復号が可能である。このようなフレームはイントラフレームとも呼ばれる。ピクチャＰ３は、ピクチャＩ０を参照フレームとして順方向予測符号化されており、ピクチャＩ０が復号化された後でないと復号出来ない。ピクチャＢ１はピクチャＩ０，Ｐ３を参照フレームとして双方向予測符号化されており、ピクチャＩ０，Ｐ３の復号化の後でした復号化できない。
【００２２】
ユーザの記録開始の指示から記録中断又は記録終了の指示までの動画像が、ＭＰＥＧ方式で圧縮されて、ＨＤＤ２０に記録される。１つの動画像の単位をクリップと呼ぶ。クリップは、動画像データであるストリームと、その動画像の管理情報であるクリップ情報の２種類のデータからなる。図３はクリップの構造を示す。ストリームとクリップ情報はそれぞれ独立したファイルとしてＨＤＤ２０に格納される。即ち、１つのクリップは、ストリームファイルとクリップ情報ファイルからなる。同一のクリップに属するストリームファイルとクリップ情報ファイルには、同じクリップ番号が付けられる。クリップ番号は、クリップ毎にユニークである。ＨＤＤ２０の記録映像情報は、同じクリップのストリームファイルとクリップ情報ファイルからなる。
【００２３】
実時間で動画像を記録する場合、１つ動画像ストリームファイルを記録するたびに１つのクリップ情報ファイルが記録される。本実施例のクリップ情報ファイル内には、各イントラフレームの開始アドレスとサイズが記録されている。イントラフレームの開始アドレスがストリームの先頭からのオフセットバイト数で表現される場合、イントラフレームが記録されるクラスタを特定するには、ストリームのクラスタチェーンの情報も必要になる。
【００２４】
図４はユーザの操作例と記録動作の一例のフローチャートを示す。ステップＳ１で、記録開始ボタンを押下して１つ目のクリップの記録を開始する。次のステップＳ２で、記録終了ボタンを押下してこのクリップの記録を中断する。ステップＳ３で、記録開始ボタンを押下して２つ目のクリップの記録を開始し、ステップＳ４で、記録終了ボタンを押下して上記クリップの記録を中断する。ステップＳ５で記録開始ボタンを押下して３つ目のクリップの記録を開始し、ステップＳ６で、記録終了ボタンを押下して上記クリップの記録を中断する。最後にステップＳ７で、消去ボタンを押下し、ＨＤＤ２０の記録内容を消去する。
【００２５】
図５は、ステップＳ６の終了後にＨＤＤ２０に記録される内容の物理イメージを示す。ＨＤＤ２０のファイル管理システムは、ＦＡＴ（File Allocation Table）５０と、ディレクトリ領域５２と、データ領域５４で構成されている。ＦＡＴ５０は、データ領域５４に割り当てられたクラスタすべてと１対１で対応する要素（ＦＡＴエントリ又はクラスタエントリ）が順番に並んだテーブルである。ディレクトリ領域５２は、ファイル名などのファイル情報を記録するための場所であり、ルートディレクトリ情報が記録される。データ領域５４には、上述のストリームファイル及びクリップ情報ファイルが記録される。ＦＡＴ５０とディレクトリ領域５２はファイル管理領域を構成し、これらに記憶される情報はいわば、データ領域５４に記録されるファイルの記録位置を記録し管理する管理情報である。
【００２６】
図４に示すフローで説明した１つ目のクリップに対して、ストリームファイル０１とクリップ情報ファイル０１にＨＤＤ２０に記録される。２つ目のクリップに対して、ストリームファイル０２とクリップ情報ファイル０２が記録される。３つ目のクリップに対して、ストリームファイル０３とクリップ情報ファイル０３が記録される。ディレクトリ領域５２には、各ストリームファイル０１，０２，０３とクリップ情報ファイル０１，０２，０３の開始クラスタ番号が記録される。
【００２７】
ＦＡＴ５０には、各ファイルがどのクラスタに記録されているかを示すチェーン情報が記録される。即ち、各先頭のクラスタ番号の欄に次に続くクラスタのクラスタ番号が記載され、このようなポインタがクラスタ単位で繋がってチェーンとなり、１つのファイルの所在が記述される。例えば、ストリームファイル０１の先頭のクラスタ番号は、ディレクトリ領域５２から、１１であることが分かる。また、記録されているクラスタ番号は、ＦＡＴ５０より、１１→１３→１４・・・１６である。
【００２８】
図６は、ステップＳ７のストリーム消去要求に対する記録内容の消去方法のフローチャートを示す。図４に示す例では、３つのクリップのストリームをＨＤＤ２０から消去することになる。この消去を担当するプログラムは、ＲＯＭ３０に格納されており、ＣＰＵ２８がその消去プログラムを実行する。
【００２９】
ＣＰＵ２８はイントラ検出部３６を介して、図５に示すクリップ情報ファイル０１からストリームファイル０１内の各イントラフレームの開始位置と終了位置を取得する（Ｓ１１）。ＣＰＵ２８はディスクアクセス制御部１８を介して、各イントラフレームが記録される領域にダミーデータ、例えばＦＦｈを上書きさせる（Ｓ１２）。これにより、ストリームファイル０１内のイントラフレームが消去又は無効化される。ステップＳ１１、Ｓ１２の処理により、ストリームファイル０１の全イントラフレームが消去される。
【００３０】
ＣＰＵ２８はディスクアクセス制御部１８を介して、ＦＡＴ５０内のストリームファイル０１とクリップ情報ファイル０１のクラスタチェーンにＦＦｈを上書きする（Ｓ１３）。ここでのＦＦｈは、該当するクラスタに記録されたデータの消去、即ち、上書き可能を示す。そして、ＣＰＵ２８はディスクアクセス制御部１８を介して、ディレクトリ領域５２のストリームファイル０１とクリップ情報ファイル０１の開始アドレス情報を消去する（Ｓ１４）。ステップＳ１３とＳ１４の処理により、ＨＤＤ２０のファイルシステムの管理情報として、上からストリームファイル０１とクリップ情報ファイル０１が消去される。
【００３１】
ＣＰＵ２８は、ＨＤＤ２０に記録された各ストリームに対して、以上の処理（Ｓ１１〜Ｓ１４）を実行する（Ｓ１５）。
【００３２】
勿論、特定の１つのストリームの記録を消去したい場合には、指定されたストリームに対してステップＳ１１〜Ｓ１４を実行すればよい。図７は、指定された１つのストリームの記録を消去するフローチャートを示す。ステップＳ２１〜Ｓ２４は、図６のステップＳ１１〜Ｓ１４にそれぞれ対応する。
【００３３】
イントラフレームを上書きするデータは、ＦＦｈ以外にも、イントラフレームの復号化を部分的又は全面的に無効化するものであればよい。即ち、イントラフレームを上書きするダミーデータは、ＦＦｈに限定されない。
【実施例２】
【００３４】
図８は、本実施例の第２実施例の概略構成ブロック図を示す。図１に示す実施例では、ユーザの消去指示に従い、記録媒体のデータ領域に記録される全ストリーム又は指定ストリームのイントラフレームのデータを上書きして消去した。これに対し、図８に示すビデオカメラ１０ａでは、イントラフレームの上書きに２段構成を採用する。即ち、第１段階として、ユーザの消去指示に対して、指定クリップに関するファイル管理情報を所定位置（又は所定ファイル名のファイル）にバックアップした上で、指定クリップをファイルシステムの管理上で消去する。そして、第２段階として、事後に、カメラ状態に応じて、指定クリップのストリームのイントラフレームを上書きして消去する。
【００３５】
図８に示すビデオカメラ１０ａは、図１に示すビデオカメラ１０の要素に加えて、状態検出部４０を具備する。図１に示す構成要素と同じ作用の要素には同じ符号を付してある。状態検出部４０は、ビデオカメラ１０ａの動作状態を検知する。
【００３６】
図９は、指定ストリームを消去する本実施例の消去動作のフローチャートを示す。ストリーム０３が消去対象に指定されたとする。
【００３７】
ＣＰＵ２８ａは、ディレクトリ領域５２のクリップ情報ファイル０３の開始アドレスとクラスタチェーンの情報をＨＤＤ２０の空き領域に保存する（Ｓ３１）。ＣＰＵ２８ａはまた、ＦＡＴ５０内からストリームファイル０３のクラスタチェーン情報のコピーを生成し、ＨＤＤ２０の空き領域に保存する（Ｓ３２）。これらのバックアップ先は、予め用意しておいた専用の特定エリア（バックアップ用エリア）であるのが好ましい。事後の検索が高速で容易になるからである。又は、特定ファイル名のファイルでもよい。
【００３８】
次に、ＣＰＵ２８ａはディスクアクセス制御部１８を介して、ＦＡＴ５０内のストリームファイル０３とクリップ情報ファイル０３のクラスタチェーンにＦＦｈを上書きする（Ｓ３３）。ＣＰＵ２８ａはディスクアクセス制御部１８を介して、ディレクトリ領域５２のストリームファイル０３とクリップ情報ファイル０３のエントリをディレクトリ領域５２から削除する（Ｓ３４）。ステップＳ３３とＳ３４の処理により、ファイルシステムの管理情報上、ストリームファイル０３とクリップ情報ファイル０３が消去されたことになる。即ち、ＨＤＤ２０のデータ領域５４にストリームファイル０３とクリップ情報ファイル０３が残っているが、他のデータで上書き可能な状態になっている。
【００３９】
図１０は、ステップＳ３４の後の、ストリーム０３に関するＨＤＤ２０のファイルシステム上の記録内容例を示す。図１０（ａ）は、ストリームファイル０３の構成と配置（クラスタ番号）を示す。図１０（ｂ）は、ステップＳ３２の処理によりＨＤＤ２０上でコピー（又はバックアップ）されたＦＡＴ５０のクラスタチェーン情報を示す。図１０（ｃ）は、ＦＡＴ５０のクラスタチェーン情報を示す。ステップＳ３３の処理により、ＦＡＴ５０では、ストリームファイル０３に対するクラスタ番号はＦＦｈで上書きされている。
【００４０】
ストリームファイル０３のイントラフレームの開始位置と終了位置は、対応するクリップ情報ファイル０３から取得できる。図１０に示す例では、ストリームファイル０３のイントラフレームは、クラスタ番号２０１から開始している。コピーされたクラスタチェーン情報（図１０（ｂ））により、イントラフレーム６０の記録位置は、クラスタ番号２０１→２０２→２０３→２０４→２０６→２０７→２０８である。
【００４１】
図１１は、指定ストリームファイルのイントラフレームのデータを上書きする処理の動作フローチャートを示す。本実施例では、図１１に示すフローは、記録再生の待機中に起動される。この処理を実現する処理プログラムはＲＯＭ３０に格納されており、ＣＰＵ２８ａがこれを実行する。
【００４２】
状態検出部４０が、ビデオカメラ１０ａが記録再生待機中であるかどうかを判断する（Ｓ４１）。記録再生待機中でない場合には（Ｓ４１）、本処理を終了する。記録再生待機中の場合（Ｓ４１）、ＣＰＵ２８ａは、ＨＤＤ２０のディレクトリ領域５２に削除済みクリップ情報ファイルがあるかどうかを調べる（Ｓ４２）。削除済みクリップ情報ファイルが存在しない場合（Ｓ４２）、本処理を終了する。
【００４３】
削除済みクリップ情報ファイルが存在する場合（Ｓ４２）、ＣＰＵ２８ａは、ステップＳ３１，Ｓ３２でバックアップした情報から、削除済みクリップ情報ファイル０３と、関連するストリームファイル０３のクラスタチェーン情報を取得する（Ｓ４３）。
【００４４】
イントラ検出部３６は、ステップＳ４３で取得したクリップ情報ファイル０３から、関連するストリームファイル０３内の各イントラフレームの開始位置と終了位置を取得する（Ｓ４３）。
【００４５】
次に、ＣＰＵ２８ａは、ステップＳ４３で取得したクラスタチェーン情報（図１０（ｂ））とＦＡＴ５０内のクラスタチェーン情報（図１０（ｃ））が一致するかどうかを判断する（Ｓ４５）。即ち、ＣＰＵ２８ａは、現在の管理情報とバックアップした管理情報のコピーとを比較し、データ領域上で、ストリームファイル０３のイントラフレームが上書き済みか否かを確認する。ＦＡＴ５０のクラスタチェーン情報で、ストリームファイル０３のイントラフレームを示すクラスタチェーンがＦＦｈの場合、上書きが未実行であることを示す。このとき、ＣＰＵ２８は、このイントラフレームの領域を例えばＦＦｈで上書きする。
【００４６】
ＦＡＴ５０のイントラフレームを示すクラスタチェーンがＦＦｈ以外であった場合（Ｓ４５）、上書き済みを示すので、このクラスタチェーンが示すイントラフレームの領域には何もしない。
【００４７】
ＣＰＵ２８ａは、ストリームファイル０３内の全イントラフレーム６０、６２，６４に対してステップＳ４４〜Ｓ４６の処理を繰り返す。ステップＳ４４〜Ｓ４６の処理により、ストリームファイル０３内の全イントラフレームが特定のデータの上書きにより、回復不能な状態で消去される。
【００４８】
ＣＰＵ２８ａは、ＨＤＤ２０に保存しておいた削除済みクリップ情報ファイルを削除する（Ｓ４７）。更に、ＣＰＵ２８ａは、ストリーム消去指示時にＨＤＤ２０の専用領域にコピー又はバックアップしたクラスタチェーン情報（図１０（ｂ））等を削除する。
【００４９】
本実施例では、上書きデータをＦＦｈとしたが、上書きデータはイントラフレーム内のデータと異なれば足りる。即ち、ＦＦｈに限定されない。
【００５０】
また、本実施例では、記録再生待機状態に、イントラフレームをダミーデータで上書きするとしたが、他の状態、例えば充電中に実行しても良い。
【００５１】
以上説明したように、上記各実施例によれば、映像データの全領域を上書きする必要がなく、フレーム内符号化された映像データのみを上書きするので、迅速に所望の状態にすることができる。フレーム内符号化と予測符号化を併用する圧縮符号化方式では、フレーム内符号化された映像データを消去すると、事実上、その記録映像を復号化できない。事実上、記憶媒体の映像データを復元不能な状態に消去したことになる。
【図面の簡単な説明】
【００５２】
【図１】本発明の実施例１の概略構成ブロック図である。
【図２】クリップのファイル構造を示す模式図である。
【図３】ＭＰＥＧ方式におけるＩピクチャ、Ｂピクチャ及びＰピクチャの関係を示す模式図である。
【図４】クリップの記録と消去の操作に対する動作フローチャートである。
【図５】ＨＤＤ２０に記録される情報の構造と内容例である。
【図６】本実施例の全クリップ消去に対する消去動作のフローチャートである。
【図７】本実施例の指定クリップ消去に対する消去動作のフローチャートである。
【図８】本発明の実施例２の概略構成ブロック図である。
【図９】実施例２の管理情報のバックアップと消去の動作フローチャートである。
【図１０】図９に示す動作後のＨＤＤ２０の記録情報例である。
【図１１】図９に示す動作の後に実行される、イントラフレームを上書きする処理の動作フローチャートである。
【符号の説明】
【００５３】
１０，１０ａ  ビデオカメラ
１２  カメラ
１４  エンコーダ
１６  バッファメモリ
１８  ディスクアクセス制御部
２０  ＨＤＤ
２２  デコーダ
２４  ＬＣＤコントローラ
２６  液晶表示パネル（ＬＣＤ）
２８，２８ａ  ＣＰＵ
３０  ＲＯＭ
３２  ＲＡＭ
３４  操作部
３６  イントラ検出部
３８  バス
４０  状態検出部
【図１】
2009044563.tif 000003
【図２】
2009044563.tif 000004
【図３】
2009044563.tif 000005
【図４】
2009044563.tif 000006
【図５】
2009044563.tif 000007
【図６】
2009044563.tif 000008
【図７】
2009044563.tif 000009
【図８】
2009044563.tif 000010
【図９】
2009044563.tif 000011
【図１０】
2009044563.tif 000012
【図１１】
2009044563.tif 000013